(57)【要約】【課題】  シートのサイズや厚みに関係なく、高い信頼性をもってシートを給送することができるシート給送装置、およびそれを備えた記録装置を提供すること。【解決手段】  給紙トレイ１１２上に積載されたシートＰの内の最上位のシートＰ１に給紙針３１３を突き刺し、その最上位のシートＰ１をシート吸着部３３２に吸着させる位置まで持ち上げる。【選択図】  図３
2006082971.tif 000002
【特許請求の範囲】
【請求項１】
複数枚のシートを積載するシート積載手段と、前記シート積載手段に積載されたシートをエアーの吸引力により吸着可能なシート吸着部と、前記シート吸着部に吸着されたシートを搬送する搬送手段と、を有するシート給送装置において、
前記シート収納手段に積載されたシートの内の最上位のシートを突き刺し可能な針状部材と、
前記針状部材を第１位置および第２位置に移動させる移動手段と、
を備え、
前記第１位置は前記針状部材が前記最上位のシートを突き刺す位置であり、前記第２位置は、前記針状部材に突き刺された前記最上位のシートを前記シート吸着部に吸着させる位置である
ことを特徴とするシート給送装置。
【請求項２】
前記シート吸着部は前記最上位のシートの上方に位置し、
前記移動手段は前記針状部材を上下方向に移動させる
ことを特徴とする請求項１に記載のシート給送装置。
【請求項３】
前記移動手段は、前記針状部材を斜め上方から前記最上位のシートに突き刺すことを特徴とする請求項１または２に記載のシート給送装置。
【請求項４】
前記針状部材を複数備えることを特徴とする請求項１から３のいずれかに記載のシート給送装置。
【請求項５】
前記移動手段は、前記複数の針状部材を互いに異なる方向から前記最上位のシートに突き刺すことを特徴とする請求項４に記載のシート給送装置。
【請求項６】
前記最上位のシートに突き刺し可能な前記針状部材の先端部の長さは、前記シートの厚みよりも小さいことを特徴とする請求項１から５のいずれかに記載のシート給送装置。
【請求項７】
前記針状部材によって突き刺された前記最上位のシートの移動位置を検知するためのシート分離検知手段を備えることを特徴とする請求項１から６のいずれかに記載のシート給送装置。
【請求項８】
前記シート分離検知手段の検知結果に基づいて、前記搬送手段を制御する制御手段を備えることを特徴とする請求項７に記載のシート給送装置。
【請求項９】
前記シート積載手段は、前記最上位のシートの上面位置を検知するためのシート上面検知手段と、前記シートを積載しかつ前記シート上面検知手段の検知結果に基づいて上下方向に移動可能なシート積載台と、を含み、
前記シート分離検知手段は前記シート上面検知手段としての機能を兼有する
ことを特徴とする請求項７または８に記載のシート給送装置。
【請求項１０】
シート給送装置から給送されるシートに対して画像を記録する記録装置において、
前記シート給送装置として、請求項１から９のいずれかに記載のシート給送装置を備えることを特徴とする記録装置。
【発明の詳細な説明】
【技術分野】
【０００１】
本発明は、種々の装置に装着可能なシート給送装置、およびそのシート給送装置を備えた記録装置に関するものである。
【背景技術】
【０００２】
従来のシート給送装置としては、例えば、特許文献１に記載のものが提案されている。かかる装置は、エアーの吹付け力と吸引力を利用して、シートを分離、吸着、搬送するように構成されている。
【０００３】
図１４は、このような従来のシート給送装置の概略構成図である。図１４において、５０１は、複数枚のシートを積載可能なシートトレイであり、シートは、その先端がシート揃えガイド板５１２に突き当てられるように積載されている。シートを積載したシートトレイ５０１の上方には、シート搬送部５００が配置されている。シート搬送部５００は、シート吸着部５０２と、複数の吸着孔５０３ａを有する搬送ベルト５０３と、搬送ベルト５０３に図のＡ方向に駆動を与えるベルト駆動ローラ５１０と、搬送ベルト５０３が掛け渡されて従動するベルト従動ローラ５１０と、吸着孔５０３ａおよびシート吸着部５０２を通してエアーを吸引するブロワ５０４と、により構成されている。ブロワ５０４の吸引は、バルブ５０９の開閉によりＯＮ／ＯＦＦが可能となっている。シートを浮上させためにノズル５０５が配置されている。このノズル５０５は、エアーをシート先端の斜め下方から、シートトレイ５０１上に積載されたシート先端近傍に向かって（図のＢ方向）噴出させる。ノズル５０５はブロワ５０７に連結されており、そのブロア５０７からエアーが供給される。
【０００４】
このようなシート搬送装置は、以下のように作動する。まず、ブロワ５０７から供給されたエアーをノズル５０５から噴出させ、シートトレイ５０１上のシートを数枚浮上させる。そして、バルブ５０９が開くことによって、ブロワ５０４の吸引力が作用し、一番上のシートを搬送ベルト５０３に吸着させる。次に搬送ベルト５０３を駆動されて、その一番上のシートを１枚だけ次の搬送ローラ対５０８まで搬送する。その後、バルブ５０９が閉じた状態になり、搬送ベルト５０３も停止する。
【０００５】
【特許文献１】特開平７−１０１５７９号公報
【発明の開示】
【発明が解決しようとする課題】
【０００６】
しかしながら、シートトレイ５０１上のシートをエアーで数枚浮上させる方式は、シートのサイズや厚みが変わった場合に、そのシートがうまく浮上せず、シートの送り不良が起きるおそれがあった。
【０００７】
本発明の目的は、シートのサイズや厚みに関係なく、高い信頼性をもってシートを給送することができるシート給送装置、およびそれを備えた記録装置を提供することにある。
【課題を解決するための手段】
【０００８】
本発明のシート給送装置は、複数枚のシートを積載するシート積載手段と、前記シート積載手段に積載されたシートをエアーの吸引力により吸着可能なシート吸着部と、前記シート吸着部に吸着されたシートを搬送する搬送手段と、を有するシート給送装置において、前記シート収納手段に積載されたシートの内の最上位のシートを突き刺し可能な針状部材と、前記針状部材を第１位置および第２位置に移動させる移動手段と、を備え、前記第１位置は前記針状部材が前記最上位のシートを突き刺す位置であり、前記第２位置は、前記針状部材に突き刺された前記最上位のシートを前記シート吸着部に吸着させる位置であることを特徴とする。
【０００９】
本発明の記録装置は、シート給送装置から給送されるシートに対して画像を記録する記録装置において、前記シート給送装置として上記のシート給送装置を備えることを特徴とする。
【発明の効果】
【００１０】
本発明によれば、針状部材をシートに突き刺して、そのシートを移動させるため、シートのサイズや厚みの如何に拘わらず、シートの送り不良や重送を起こさないように高い信頼性をもってシートを給送することができる。また、このように高い信頼性をもってシートを記録装置に給送することにより、その記録装置はシートに対する記録動作を確実に実施することができる。
【発明を実施するための最良の形態】
【００１１】
以下に、本発明の実施形態を図面に基づき詳細に説明する。
【００１２】
図１は、本発明のシート給送装置を備えた記録装置の概略構成を示す側面図、図２は、その平面図である。
【００１３】
記録装置１０１は、画像形成部１０２と、その画像形成部１０２にシートＰを１枚ずつ分離して給送するシート給送装置１０３と、を備えている。
【００１４】
画像形成部１０２には、シートＰの搬送方向に対して直交する方向（シートＰの幅方向）に、複数の記録ヘッド１０４Ｋ、１０４Ｃ，１０４ＬＣ，１０４Ｍ，１０４ＬＭ，１０４Ｙ（以下、これらをまとめて「記録ヘッド１０４」ともいう）が配置されている。シート給送装置１０３から給送されたシートＰは搬送ベルト１０５により搬送され、そのシートＰが定速度で各記録ヘッド１０４の下方を通過する時に、各々の記録ヘッド１０４がもつ多数のインクノズルから選択的にインクを吐出することにより、そのシートＰに画像が記録される。本例の記録ヘッド１０４は、ブラックインク吐出用の記録ヘッド１０４Ｋ、シアンインク吐出用の１０４Ｃ，ライトシアンインク吐出用の記録ヘッド１０４ＬＣ，マジェンタインク吐出用の記録ヘッド１０４Ｍ、ライトマジェンタインク吐出用の記録ヘッド１０４ＬＭ、およびイエローインク吐出用の記録ヘッド１０４Ｙを含み、６色のインクによってカラー画像を記録する。
【００１５】
拍車ユニット１１０は、搬送ベルト１０５によって搬送されるシートＰを搬送ベルト１０５に押し付けて、シートＰの浮き上がりを防止する。１０６，１０７は、搬送ベルト１０５が掛け渡される搬送ローラ、１０８は、搬送ベルト１０５を駆動する駆動軸であって、搬送モータ１０９によって回動される。１１１は拍車クリーナ、１１２は排紙トレイである。Ｓ２はシート検知センサ、Ｓ３はシートＰの先端を検知するシート先端検知センサである。これらのセンサＳ２，Ｓ３としては、例えば、発光部と受光部との間の光路が遮られることによってＯＦＦとなるような光学センサを用いることができる。
【００１６】
シート給送装置１０３に備えられた給紙機構１１３は、シート積載台１１２に積載されたシートＰを１枚毎ピックアップして給送する。また、シート給送装置１０３に備えられた斜行補正機構は、斜行補正ローラ３５０と斜行補正従動ローラ３５１とによって、給紙機構１１３によりピックアップされたシートＰの斜行を補正する。斜行補正従動ローラ３５１はローラアーム３５２の先端に回転自在に支持されており、そのローラアーム３５２は、図５のように、その中間部の支点０２を中心として回動自在とされている。斜行補正従動ローラ３５１は、ばね３５４の付勢力によってローラアーム３５２が矢印Ｃ１方向に回動することにより、図５中の実線のように斜行補正ローラ３５０に押し付けられる。また、離問ソレノイド３５３の通電駆動によってローラアーム３５２がばね３５４に抗して矢印Ｃ２方向に回動することにより、斜行補正従動ローラ３５１は、図５中の２点鎖線のように斜行補正ローラ３５０から上方に離間する。３５５はガイドプレートであり、その上面に沿ってシートＰが搬送される。斜行補正ローラ３５０と斜行補正従動ローラ３５１は、ガイドプレート３５５の切欠き部を通して、上下方向からシートＰを挟み付けることになる。
【００１７】
また、給送されたシートＰの先端が上側にカールしている場合には、そのシートＰの先端が記録ヘッド１０４の直下を通過する際に、そのシートＰの先端が記録へ
ッド１０４のノズル面（下部）に接触して、インクにより汚れてしまうばかりか、記録ヘッド１０４の故障を引き起こすおそれがある。このような事態を回避するため、例えば、斜行補正ローラ３５０よりもシートＰの搬送方向の下流側の位置に、シートＰに対して下側にカール付けを行うカール付けローラ１１６を備えている。
【００１８】
Ｓ１は、シートＰの上面を検知するシート上面検知センサである。シート上面検知センサＳ１は、レバー１２１の回動位置に基づいて、給紙トレイ１１２上に積載されたシートＰ内の最上位のシートＰ１の上面位置を検知する。すなわち、略Ｌ字状のレバー１２１は支点０３（図３参照）を中心として回動自在に支持されており、その下端部は最上位のシートＰ１の上面に載っている。図３のように、最上位のシートＰ１が他のシートＰと共に給紙トレイ１１２上に積載されているときは、シート上面検知センサＳ１がレバー１２１の上端部を検知してＯＮとなる。一方、後述するように最上位のシートＰ１が吸引ベルト３３に吸着されるときには、レバー１２１が右方に回動し（図８参照）、そのレバー１２１の上端部がシート上面検知センサＳ１の検知位置から外れて、シート上面検知センサＳ１がＯＦＦとなる。センサＳ１としては、例えば、発光部と受光部との問の光路が遮られることによってＯＦＦとなるような光学センサを用いることができる。
【００１９】
図３は給紙機構１１３の概略側面図、図４は図３のＩＩＩ矢視図である。
【００２０】
給紙針保持フレーム３０８内には、図４のように、２組の針部材３１３が対称的且つ斜めに備えられており、それらの針部材３１３はガイド溝３０８ａに沿って移動可能とされている。給紙針Ｕ／Ｄソレノイド３０５の伸縮動作とリンクばね３０６の作用により、給紙リンク部材３０４が支点０１を中心として回転し、それに連係する給紙針保持フレーム３０８は上下（矢印Ａ方向）に移動する。すなわち、ソレノイド３０５が退縮動作することにより、リンクばね３０６に抗して給紙リンク部材３０４が矢印Ｂ１方向に回転し、その給紙リンク部材３０４の先端部に連係される給紙針保持フレーム３０８がガイド軸３０７にガイドされたまま下方に移動する。一方、ソレノイド３０５の駆動を解除することにより、図３のように、リンクばね３０６の付勢力によって給紙リンク部材３０４が矢印Ｂ２方向に回転し、その給紙リンク部材３０４の先端部に連係される給紙針保持フレーム３０８がガイド軸３０７にガイドされたまま上方に移動する。
【００２１】
３１４は針部材３１３に連結された針押し込みアーム、３１５は押し込みソレノイド、３１６は針押し込みアーム３１４を図４中の上方に付勢するばねであり、これらはいずれも給紙針保持フレーム３０８に備えられている。押し込みソレノイド３１５の非通電時には、ばね３１６により押し込みアーム３１４が図４中の実線のように上方に位置し、針部材３１３が上方位置にて待機する。一方、押し込みソレノイド３１５に通電すると、押し込みアーム３１４がばね３１６に抗して下方に移動し、針部材３１３が図４中の２点鎖線のように下方に押し込まれる。針部材３１３，３１３は、図４にてハの字を描くように斜めに配されている。これは、それらの針部材３１３，３１３に突き刺されたシートＰが落下しないようにするためである。
【００２２】
図１３は、針部材３１３の先端部の詳細図である。シートＰに突き刺し可能な針部材３１３の先端部の長さＴｈは、給送するシートＰの厚みＴｐよりも小さく設定されている。これにより、針部材３１３はシートＰを２枚同時に突き刺すことがなく、シートＰの重送が防止される。
【００２３】
図３において、３３０はブロワであり、エアーの吸引力によってシート吸着部３３２にシートの吸引力を発生させる。バルブ３３１を開閉に応じて、シート吸着部３３２における吸引力を任意的に断つことが可能である。給紙機構１１３の両側には、図２および図４のように吸引ベルト３３３が配置されており、後述すように、針部材３１３によって持ち上げられたシートＰは、シート吸着部３３２の吸引によって吸引ベルト３３３に吸着される。吸引ベルト３３３は、ベルト軸３３４、３３５の間に掛け渡されていて、シートＰの搬送方向に移動可能である。
【００２４】
図１１は、記録装置１０１における制御系のブロック構成図である。
【００２５】
ホストコンピュータ（ホスト装置）１２００から送信された記録データは、記録装置１０１のインタフェースコントローラ１２０２にて受信される。記録するシートの枚数、種類、およびサイズ等を指示するコマンドもインタフェースコントローラ１２０２にて受信されて解析される。ＣＰＵ（中央演算処理装置）１２０１は、コマンドの解析の他、記録データの受信、記録動作、シート（記録媒体）のハンドリング等、記録装置１０１全般の制御を司る。ＣＰＵ１２０１は、受信したコマンドを解析した後、記録データの各色成分のイメージデータをイメージメモリ１２０４にビットマップ展開して描画する。
【００２６】
ＣＰＵ１２０１は、記録前の動作処理として、先ずは、Ｉ／Ｏ（入出力ポート）１２０８およびモータ駆動部１２１０を介して搬送モータ１０９の駆動を開始させて、それを定速回転させる。続いて、キヤッピングモータ（不図示）およびヘッドモータ（不図示）を関連的に駆動させ、記録ヘッド１０４をキャッピング位置（図示しない待機位置）から記録位置（不図示）へ移動させる。また、それとほぼ同時に、ブロワモータ１２１２、斜行補正モータ１２１３、給紙トレイＵ／Ｄモータ１２１４、および吸引ベルトモータ１２１５等を関連的に制御して、シートＰの給送動作を開始する。その給送動作については後述する。
【００２７】
後述するように、１枚毎にピックアップされたシートＰが給送され、そのシートＰが定速度運転を開始した記録装置１０１の本体側搬送部に到達したときに、シート先端検知（ＴＯＦ）センサＳ３によってシートＰの先端を検知して、シートＰへの記録タイミングを決定する。そしてＣＰＵ３０１は、記録装置１０１の本体側の搬送モータ１０９によるシート搬送に同期して、イメージメモリ３０４から対応する色のイメージデータを順次読み出し、記録ヘッド制御回路１２０９を介して、それらのイメージデータを対応する記録ヘッド１０４Ｋ〜１０４Ｙにデータ転送することにより、カラー画像を記録する。
【００２８】
ＣＰＵ１２０１の動作は、プログラムＲＯＭ１２０３に記憶された処理プログラムに基づいて実行されて、装置全体を制御する。かかる制御プログラムは、例えば、後述のフローチャートに示された手順に対応するプログラムである。また、作業用のメモリとしてワークＲＡＭ１２０５を用いる。
【００２９】
ＣＰＵ１２０１は、この他に、シート上面検知センサＳ１、シート検知センサＳ２、シート先端検知センサＳ３等の出力をほぼリアルタイムに読み出して、制御に反映する。また、後述するように、入出力ポート１２０８および駆動回路１２１１を介して、離間ソレノイド３５３、給紙針Ｕ／Ｄソレノイド３０５、および押し込みソレノイド３１５等を駆動制御する。ＥＥＰＲＯＭ１２０６は書き換え可能な不揮発性メモリであり、使用されるシートの種類やサイズ、記録ヘッド相互の記録位置の微調整値（レジストレーション値）等、記録装置１０１に特有のパラメータ等を記憶する。
【００３０】
図１２は、ＣＰＵ１２０１がホストＰＣ１２００から記録動作命令を受信して、シートＰの給送動作を実行するときの動作を説明するためのフローチャートである。この動作フローに対応する処理プログラムがプログラムＲＯＭ１２０３に記憶され、ＣＰＵ１２０１がそれを実行することで、処理が実行される。
【００３１】
動作開始されると（Ｓ１３００）、ＣＰＵ１２０１は、先ずブロワモータ１２１２を通電してブロア３３０を駆動（ＯＮ）し（Ｓ１３０１）、それから離間ソレノイド３５３を通電（ＯＮ）する（Ｓ１３０２）。これにより、図６のように、ローラアーム３５２を介して斜行補正従動ローラ３５１が斜行補正ローラ３５０から離間される。次に、給紙針Ｕ／Ｄソレノイド３０５を通電（ＯＮ）する（Ｓ１３０３）。これにより、図６のように、給紙リンク部材３０４を介して、給紙針保持フレーム３０８がシートＰ１上に降下される。
【００３２】
続いて、押し込みソレノイド３１５（図４参照）を通電（ＯＮ）する（Ｓ１３０４）。これにより、図７のように、下降した給紙針保持フレーム３０８から、針部材３１３がさらに下降して最上位のシートＰ１を突き刺す。
【００３３】
そして、所定時間の経過を待ち（Ｓ１３０５）、その後に、給紙針Ｕ／Ｄソレノイド３０５をＯＦＦ（Ｓ１３０６）にすることにより給紙針保持フレーム３０８を上昇させ、さらに、押し込みソレノイド３１５をＯＦＦ（Ｓ１３０７）にすることによって、上昇した給紙針保持フレーム３０８から針部材３１３をさらに上昇させる。このような動作により、図８のように、最上位のシートＰ１は、まず、それよりも下方に位置するシートＰから上方に分離され、そして吸引ベルト３３３まで上昇されて、その吸引ベルト３３３に吸着される。そして、そのシートＰ１は、針部材３１３が上方に戻ることにより針部材３１３から抜ける。また、シート上面検知センサＳ１はＯＦＦになる。もしも、上面検知センサＳ１がＯＦＦにならない場合には、シートＰ１がピックアップされていないと判断し、ステップＳ１３０８から先のステップＳ１３０３に戻って給送動作を再開する。
【００３４】
シート上面検知センサＳ１がＯＦＦになったら（Ｓ１３０８）、吸引ベルト３３３を回転させるための吸引ベルトモータ１２１５を駆動（ＯＮ）させ（Ｓ１３０９）、図９のように、吸引ベルト３３３を矢印Ｄの方向に正回転させて、シートＰ１をシート送方向（同図中の左方）に搬送する。そして、シート検知センサＳ２によるシートＰ１の検知を待ってから（Ｓ１３１０）、図１０のように、吸引ベルトモータ１２１５をＯＦＦして吸引ベルト３３３を停止させ（Ｓ１３１１）、さらに離間ソレノイド３５３をＯＦＦにして（Ｓ１３１２）、斜行補正従動ローラ３５１と斜行補正ローラ３５０との間にてシートＰ１を上下方向から挾持し、その後にバルブ３３１を閉める（Ｓ１３１３）。
【００３５】
もしも、ステップＳ１３１０においてシートＰ１がシート検知センサＳ２によって検知されない場合、ＣＰＵ１２０１は、シートＰ１が紙詰まりしたと判断し、警報を出力してシートの給送動作を停止する（Ｓ１３１９）。
【００３６】
斜行補正従動ローラ３５１と斜行補正ローラ３５０との間に挟み込まれたシートＰ１は、斜行補正モータ１２１３のＯＮ（Ｓ１３１４）によって、斜行が補正されつつシート搬送方向への搬送が開始される。シートＰ１の後端がシート検知センサＳ２の位置を通過したときにおけるシート検知センサＳ２のＯＦＦを待ってから（Ｓ１３１５）、斜行補正モータ１２１３をＯＦＦし（Ｓ１３１６）、さらにバルブ３３１を開放する（Ｓ１３１７）。
【００３７】
そして、所定枚数の次の給紙命令がある場合、つまり指定枚数のシートの給送が終了しない場合には、ステップＳ１３１８から再び給送動作開始に戻り（Ｓ１３０２）、指定枚数のシートの給送が終了したときに給送動作を終了する。
【００３８】
また、シート上面検知センサＳ１は、上述したように、シート載置台としての給紙トレイ１１２上から、最上位のシートＰ１が分離されたことを検知するシート分離検知手段としての機能をもつと共に、シートＰの積載量に応じて給紙トレイ１１２を上下動させるときに用いるシート上面検知手段としての機能をも兼有する。すなわち、レバー１２１の図３中左方への回動位置は、給紙トレイ１１２上におけるシートＰの積載量に応じて、つまり最上位のシートＰ１の上面位置に応じて変化し、給紙トレイ１１２上のシートＰが所定枚数給送されたときにシート上面検知センサＳ１はＯＦＦとなる。このときに、ＣＰＵ１２０１は、給紙トレイ１１２を上下動させるための給紙トレイＵ／Ｄモータ１２１４（図１１参照）を駆動して、図１０のように、シート上面検知センサＳ１がＯＮとなるまで給紙トレイ１１２を上昇させる。したがって、給紙トレイ１１２上に積載される最上位のシートＰ１の上面の位置は、常に所定の範囲に維持されることになる。
【００３９】
（他の実施形態）
本発明のシート給送装置は、記録装置以外の種々の装置にシートの給送するための装置として、広く適用することができる。
【００４０】
また、針部材３１３の配備数は２つのみに限定されず任意であり、要は、突き刺したシートを移動させて、そのシートをシート吸着部３３２に吸着させることができればよい。
【図面の簡単な説明】
【００４１】
【図１】本発明のシート給送装置を備えた記録装置の概略構成図である。
【図２】図１の記録装置の概略平面図である。
【図３】図１におけるシート給送装置の概略構成図である。
【図４】図３のＩＶ矢視図である。
【図５】図３における斜行補正機構の拡大図である。
【図６】図３のシート給送装置による給送動作の一の中途状態の説明図である。
【図７】図３のシート給送装置による給送動作の他の中途状態の説明図である。
【図８】図３のシート給送装置による給送動作の更に他の中途状態の説明図である。
【図９】図３のシート給送装置による給送動作の更に他の中途状態の説明図である。
【図１０】図３のシート給送装置による給送動作の更に他の中途状態の説明図である。
【図１１】図１の記録装置における制御系のブロック構成図である。
【図１２】図３のシート給送装置による給送動作を説明するためのフローチャートである。
【図１３】図３のシート給送装置における針部材の先端部分の拡大図である。
【図１４】従来のシート給送装置の一例を説明するための概略構成図である。
【符号の説明】
【００４２】
１０１    記録装置
１０２    記録部
１０３    給紙部
１０４    記録ヘッド
１０５    搬送ベルト
３０４    給紙リンク部材
３０５    給紙針Ｕ／Ｄソレノイド
３０８    給紙針保持フレーム
３１３    針部材
３１４    針押し込みアーム
３１５    針押し込みソレノイド
３３０    ブロワ
３３２    シート吸着部
３３３    吸引ベルト
１２０１    ＣＰＵ（中央演算処理装置）
Ｓ１    シート上面検知センサ
【図１】
2006082971.tif 000003
【図２】
2006082971.tif 000004
【図３】
2006082971.tif 000005
【図４】
2006082971.tif 000006
【図５】
2006082971.tif 000007
【図６】
2006082971.tif 000008
【図７】
2006082971.tif 000009
【図８】
2006082971.tif 000010
【図９】
2006082971.tif 000011
【図１０】
2006082971.tif 000012
【図１１】
2006082971.tif 000013
【図１２】
2006082971.tif 000014
【図１３】
2006082971.tif 000015
【図１４】
2006082971.tif 000016